Podtech/llm-jp-corpus-v4-ja_patent huggingface dataset:
(57)【要約】      （修正有）【課題】丸い形をしたキムチ商品に合わせ斜めに立てて置ける陳列トレーを提供する。【解決手段】丸い形をしたキムチ商品を斜めに向けて商品名を見せるように立てて置ける形状で、コンビニエンスストア・スーパーマーケットなどの陳列棚に収まるよう奥行きを２４５ｍｍ程度に設定し、前方はキムチ商品サイズ、型に合わせて幅８０ｍｍ、角度を７０度つけて３個置けるよう底部分を型取り、側面は安定するように２０ｍｍの高さを持たせ、後方は重ねて予備で商品を置いておけるスペースで商品底面の直径サイズに合わせ１０ｍｍ窪ませてズレを防ぐ。【選択図】図２
0003140887.tif 000002
【実用新案登録請求の範囲】
【請求項１】
丸い形をしたキムチ商品を斜めに向けて置けるよう設計・成型することにより、商品名を見せるように立てて置く状態をキープできる。
後方に数個置いておくことができるスペースも作り売れたあとの空きに補充がすぐできる。
【考案の詳細な説明】
【技術分野】
【０００１】  本考案はスーパーマーケット・コンビニエンスストアなどで陳列棚にキムチを並べる際に使用するものである。
【背景技術】
【０００２】販売されているキムチのケースが丸いので、商品名を見せるように立てて置く状態をキープできなかった。
【考案の開示】
【考案が解決しようとする課題】
【０００３】今までは商品の表示ラベルが上を向いてしまい消費者に見難い。
商品が丸い形をしているため陳列棚に立てて陳列できない。
【課題を解決するための手段】
【０００４】本製品を丸い形をしたキムチ商品を斜めに向けて置けるよう設計・成型する。
【考案の効果】
【０００５】これにより商品名が表示されている方向を見せることができると共に後方に数個置いておくことができるため、売れたあとの空きにすぐに補充することができ、作業効率も良い。
【図面の簡単な説明】
【０００６】
【図１】キムチ販売用陳列トレーの斜視図である。
【図２】キムチ販売用陳列トレーにキムチ製品を並べて置いた右側面図である。
【図１】
0003140887.tif 000003
【図２】
0003140887.tif 000004
【手続補正書】
【提出日】平成19年8月29日(2007.8.29)
【手続補正１】
【補正対象書類名】実用新案登録請求の範囲
【補正対象項目名】請求項１
【補正方法】変更
【補正の内容】
【請求項１】
（１）丸い形をしたキムチ商品を斜めに向けて商品名を見せるように立てて置ける形状に設計・成型→図２の通り
（２）売れたあとの空きに補充がすぐできるよう後方に数個置いておくことができるスペースがある→図１参照
以上からなるキムチ販売用陳列トレーである。
【手続補正書】
【提出日】平成19年12月21日(2007.12.21)
【手続補正１】
【補正対象書類名】実用新案登録請求の範囲
【補正対象項目名】全文
【補正方法】変更
【補正の内容】
【実用新案登録請求の範囲】
【請求項１】
丸い形をしたキムチ商品を斜めに向けて商品名を見せるように立てて置ける形状に設計・成型、コンビニエンスストア・スーパーマーケットなどの陳列棚に収まるよう奥行きを２４５ｍｍ程度に設定し、前方はキムチ商品サイズ、型に合わせて幅８０ｍｍ、角度を７０度つけて３個置けるよう底部分を型取り、側面は安定するよう２０ｍｍの高さを持たせ、後方は重ねて予備で商品を置いておけるスペースで商品底面の直径サイズに合わせ１０ｍｍ窪ませてズレを防ぐ。
以上からなるキムチ販売用陳列トレー。
(57)【要約】【課題】  ディスパーなど攪拌羽根の分解洗浄の際、攪拌羽根の切っ先などで指先を負傷するなど、職場災害が発生するおそれのない、簡便で衛生的観点からも優れた治具の提供。【解決手段】  軸部にハンドルを有し、水抜き孔を有するソケットを回動自由に取り付けたことを特徴とするソケットグリップ。本考案により攪拌羽根の洗浄時の作業性が向上するだけでなく、ソケットグリップ自体も洗浄性に優れ、液溜まりなどのない衛生的環境をも提供する。【選択図】図１
0003140149.tif 000002
【実用新案登録請求の範囲】
【請求項１】
軸部にハンドルを有し、水抜き孔を有するソケットを回動自由に取り付けたことを特徴とするソケットグリップ。
【考案の詳細な説明】
【技術分野】
【０００１】
本考案は、ソケットグリップに関するものである。
【背景技術】
【０００２】
食品原料を取り扱う産業においては、ディスパーなど攪拌羽根を使用することが多く、また少量多品種生産が行われる今日においてはその使用頻度も高い。これらのもののうち比較的小型機は使用後分解洗浄が行われるが、攪拌羽根を外す場合、多くは軸先にボルト等で固定されているものを外すことになる。この際、攪拌羽根の切っ先などで指先を負傷するなど、職場災害が発生するおそれがあった。
【０００３】
ボルトを取り外すソケットとしては従来より各種のものが使用されており、例えばドライバーをハンドルとして取り付けて作業性を向上させるソケットなども提案されているが（例えば特許文献１、２など）、攪拌羽根の取り外し用としては作業性に問題があった。また、食品原料を取り扱う作業場においては洗浄性が重視されるが、そのような衛生的観点から提案された治具はなかった。
【特許文献１】実開昭６１−１３７３号公報
【特許文献２】実開昭６１−１０５５７１号公報
【考案の開示】
【考案が解決しようとする課題】
【０００４】
解決しようとする問題点は、作業に優れ、かつ、衛生的観点からも使い易い簡便な治具が無いという点である。
【課題を解決するための手段】
【０００５】
かかる目的を達成するための考案は、軸部にハンドルを有し、水抜き孔を有するソケットを回動自由に取り付けたことを特徴とするソケットグリップ。
【考案の効果】
【０００６】
本考案を採用することにより、簡便に攪拌羽根等の交換等が行われ、職場災害等の危険を防止し、衛生面を含めた作業性が向上する。
【考案を実施するための最良の形態】
【０００７】
以下、本考案の構成を図１〜３に示す実施の形態に即して説明する。図１は、本考案の正面図であり、図２は、本考案の側面図である。
【０００８】
図３は、本考案Ａ-----Ａでの断面図である。ソケット部分には水抜き用の孔が設けられている。
【産業上の利用可能性】
【０００９】
簡便に攪拌羽根等の交換等が行われ、職場災害等の危険を防止し、衛生面を含めた作業性が向上するソケットグリップを提供する。
【図面の簡単な説明】
【００１０】
【図１】本考案のソケットグリップの正面図である。
【図２】本考案のソケットグリップの側面図である。
【図３】本考案のソケットグリップのＡ-----Ａでの断面図である。
【符号の説明】
【００１１】
１  ソケット部
２  ソケット部の水抜き孔
３  回動部
４  ハンドル部
５  グリップ部
【図１】
0003140149.tif 000003
【図２】
0003140149.tif 000004
【図３】
0003140149.tif 000005
(57)【要約】      （修正有） 【課題】自転車の整理収納の必要の無い時や流通段階で梱包保管時や輸送時には架台を分割する事により従来の約５０％のスペースで収納する。【解決手段】架台を左架台と右架台に分割し接続プレート及びボルト、ナットで固定して使用し、前記ボルト、ナットを取り外す事により梱包保管時や輸送時の小スペースを可能にした。【選択図】図５
0003140161.tif 000002
【実用新案登録請求の範囲】
【請求項１】
架台を左架台と右架台に分割し接続プレート及びボルト、ナットで接続固定して使用し、前記ボルト、ナットを取り外す事により梱包保管時や輸送時の小スペースが可能な自転車スタンド。
【考案の詳細な説明】
【技術分野】
【０００１】
本考案は収納の分野で玄関やガレージ等で自転車を整理収納する時に利用するラックに関するものである。
【背景技術】
【０００２】
従来から玄関やカ゛レーシ゛等で自転車を整理収納するラックがあった。
【考案の開示】
【考案が解決しようとする課題】
【０００３】
（１）従来の物は商品として流通段階で梱包保管時も自転車を整理収納するラックとして使用時も同じ大スペースが必要である。
（２）従来一体型であった架台を分割し、分割された架台を接続プレート及びボルト、ナットにて接続する事により整理の必要のない時や流通段階で梱包保管時や輸送時に従来の約５０％のスペースで収納できる。
【課題を解決するための手段】
【０００４】
従来の物は架台が一体型のため流通段階で梱包保管時や輸送時も自転車を整理収納するラックとして使用時も大スペースが必要である。
本考案は架台を分割し、分割された架台を接続プレート及びボルト、ナットで接続する事により整理の必要のない時や流通段階で梱包保管時や輸送時に従来の約５０パーセントのスペースで収納する事が可能になる。
本考案はこれ等の問題点を解決する為に考案された物である。
【考案の効果】
【０００５】
自転車の整理収納の必要の無い時や流通段階で梱包保管時や輸送時には架台を分割する事により従来の約５０％のスペースで収納できる。
【考案を実施するための最良の形態】
【０００６】
（図１）正面図
（図２）左側面図
（図３）右側面図
（図1〜3の符号）
１左架台
２右架台
３大フレーム
４小フレーム
５接続プレート
６ボルト、ナット
（図４）部品図
（図５）従来の物の図及び本考案の図
図中の符号（１）及び（２）を（５）及び（６）で接続している。
本考案は以上に述べた実施例に限定される物ではない。
【図面の簡単な説明】
【０００７】
【図１】正面図
【図２】左側面図
【図３】右側面図
【図４】部品図
【図５】従来の物の図及び今回考案の物の図
【符号の説明】
【０００８】
１左架台
２右架台
３大フレーム
４小フレーム
５接続プレート
６ボルト、ナット
【図１】
0003140161.tif 000003
【図２】
0003140161.tif 000004
【図３】
0003140161.tif 000005
【図４】
0003140161.tif 000006
【図５】
0003140161.tif 000007
(57)【要約】【課題】  構造が簡単であり、且つペットが未だ後足が入っていない状態で排泄動作に入ってしまうことが少なくなるペット用トイレを提供する。【解決手段】  トイレ本体部１の左右前後の各周辺部に亘って、周辺部材２、３、４、５を配設する構成にし、これら周辺部材を当該トイレ本体部１の周辺部に近接している部分が最も高く、当該トイレ本体部１から離れて行くほど低くなっており、且つ滑り易い材質で出来ている傾斜板面を有するものにした。【選択図】        図１
0003140191.tif 000002
【実用新案登録請求の範囲】
【請求項１】
所謂トイレシーツ（トイレシート）が敷かれて、犬等のペットがその上で排泄をする中央水平部と、
上記中央水平部の全周辺部に亘って配設されており、当該中央水平部の周辺部に近接している部分が最も高く、当該中央水平部から離れて行くほど低くなる傾斜板面を有する傾斜周辺部と、
を備えることを特徴とするペット用トイレ。
【請求項２】
上記傾斜周辺部の傾斜板面の表面は、摩擦が少なく滑り易いものになっていることを特徴とする請求項１記載のペット用トイレ。
【考案の詳細な説明】
【技術分野】
【０００１】
本考案は、比較的長い時間、人間と同じ居住空間で暮らし、そこで排泄をもする四足のペット、例えば犬や猫等が使うペット用トイレに関する。
【背景技術】
【０００２】
犬等のペットは、近年、室内で飼われるケースが多くなってきた。この場合問題になるのがペットの排泄である。このため、排泄後の排泄物の処理の容易化等を考えたペット用トイレについて、従来、多数提案がなされてきた。
【特許文献１】特開２００７−１５１５０６号公報
【特許文献２】特開２００７−２０２５７０号公報
【考案の開示】
【考案が解決しようとする課題】
【０００３】
上記のように、従来から、ペット用トイレについて、多数提案がなされてきたが、しかし、それらの多くは、細部において種々違いがあるものの概ねトレー状のもので（本願の最良の実施の形態を説明するための図１を利用して説明するなら同図におけるトイレ本体部１の部分からのみなるもので）、使用に際しては、この上にペット用のトイレシーツ（トイレシート）を敷くものであった。
上記のようなトイレシーツが敷かれているペット用トイレでは、ペットは、一般に４つの足の全てをその中に踏み入れてほぼ中央部に進み、その上で腰を下ろして排泄をすることにより、排泄物は全て当該ペット用トイレ内（即ち、トイレシーツ上）に排泄されることになる。
しかし上記のようなペット用トイレに慣れていないペット例えば子犬等では、当該トイレに前足は入っているが未だ後足が入っていない状態で腰を下ろして排泄動作に入ってしまい、結果的に当該トイレ外に排泄をしてしまうことが少なくない。
本願考案は、上記のような事情に鑑みてなされたものであり、構造が簡単であり且つ従来のペット用トイレに慣れていないペットであっても、未だ後足が入っていない状態で排泄動作に入ってしまい、結果的に当該トイレ外に排泄をしてしまうということが少ないペット用トイレの提供を目的としている。
【課題を解決するための手段】
【０００４】
請求項１の考案では、ペット用トイレを以下のように構成した。すなわち、所謂トイレシーツ（トイレシート）が敷かれて、犬等のペットがその上で排泄をする中央水平部と、
上記中央水平部の全周辺部に亘って配設されており、当該中央水平部の周辺部に近接している部分が最も高く、当該中央水平部から離れて行くほど低くなる傾斜板面を有する傾斜周辺部とを備えるように構成した。
【０００５】
請求項２の考案では、請求項１記載のペット用トイレの傾斜周辺部の傾斜板面の表面を摩擦が少なく滑り易いものにした。
【考案の効果】
【０００６】
以上詳述したように、本願考案によると、構造が簡単であり且つ従来のペット用トイレに慣れていないペットであっても、未だ後足が入っていない状態で排泄動作に入ってしまい、結果的に当該トイレ外に排泄をしてしまうということが少なくなるペット用トイレの提供が可能になる。
【考案を実施するための最良の形態】
【０００７】
以下、図面に基づいて本考案を実施するための最良の実施の形態を説明する。図１は、本実施の形態の構成を示すものである。同図において、トイレ本体部１は、所謂トイレシーツ（トイレシート）が敷かれて、犬等のペットがその上で排泄をする部分であり、長方形状をしており、従来のトレー状のペット用トイレに相当する部分である。また、周辺部材２、周辺部材３、周辺部材４、周辺部材５は、それぞれ上記トイレ本体部１の左右前後の各周辺部に亘って配設され、当該トイレ本体部１の周辺部に近接している部分が最も高く、当該トイレ本体部１の周辺部から離れて行くほど低くなる傾斜板面を有し、同図に示すように、これら全体で底面が長方形の４角錐台を形成している。また、該各周辺部材の上記傾斜板面は例えばデルリンのような摩擦が少なく滑り易い材質のものでできている。
【０００８】
上記のように構成されている本実施の形態では、ペットが排泄のため本実施の形態に近づいてきて、例え前足は入っているが未だ後足が入っていない状態で腰を下ろして、排泄動作に入ったとしても、後足が上記傾斜板面上に載ったままでは、その傾斜故に腰を下ろす姿勢は、不安定で採り難いものとなる。更に、傾斜板面の滑りやすさから、上記腰を下ろす姿勢は、一層不安定で採り難いものとなる。そのため、後足をその場に留めずに、トイレ本体部１内に進めることになり、結果的に、当該トイレ本体部１内に排泄をすることになる。
【０００９】
なお、本願考案の範囲は、上記実施の形態に限定されず、種々変形応用が可能である。
【産業上の利用可能性】
【００１０】
本考案は、ペット用トイレの製造に係る産業において利用される可能性が大である。
【図面の簡単な説明】
【００１１】
【図１】本願考案の実施の形態の構成を示す図である。
【符号の説明】
【００１２】
１    トイレ本体部
２    周辺部材
３    周辺部材
４    周辺部材
５    周辺部材
【図１】
0003140191.tif 000003
(57)【要約】      （修正有）【課題】ボルト等を、適切に締付けたり、緩めたりすることができる様にするとともに、資源の無駄使いを防止する。【解決手段】スパナ本体１の先端に、ボールポイント部分をボール形状に加工されたボール状六角部９と該ボール状六角部９の後端９ａ側に連続する首部１１とからなる、挿入部が形成されている六角棒スパナにおいて挿入部３、４、５が長手方向沿って複数形成されている。【選択図】図２
0003140106.tif 000002
【実用新案登録請求の範囲】
【請求項１】
スパナ本体の先端に、ボールポイント部分をボール形状に加工されたボール状六角部と該ボール状六角部の後端側に連続する首部とからなる、挿入部が形成されている六角棒スパナにおいて；
前記挿入部が、長手方向に沿って複数形成されていることを特徴とする数珠式六角棒スパナ。
【請求項２】
前記挿入部は、同一形状に形成されていることを特徴とする請求項1記載の数珠式六角棒スパナ。
【請求項３】
前記スパナ本体は、直棒状に形成され、他端にハンドル装着部が設けられていることを特徴とする請求項1記載の数珠式六角棒スパナ。
【考案の詳細な説明】
【技術分野】
【０００１】
この考案は、六角穴付きボルトや六角穴付きを締め付けたり、緩めたりするのに用いられる、六角棒スパナ（「六角棒レンチ」ともいう）に関するものであり、更に述べると、特に、先端にボールポイント加工されているボールポイントタイプの六角棒スパナに関するものである。
【背景技術】
【０００２】
ボールポイントタイプの六角棒スパナは、例えば、自動車のエンジンルーム等の煩雑で狭い場所に取り付けられた六角穴付きボルト等を、鉛直以外の方向から締め付けたり、緩めたりするのに用いられている。このスパナは、ボールポイント部分をボール形状に加工したボール状六角部と該ボール状六角部の後端側に連続する首部とからなる、挿入部を備えている（例えば、特許文献１、２参照）。
【０００３】
【特許文献１】特開平０８−４７８６３９号公報
【特許文献２】特開２００３−２０５４７２号公報
【考案の開示】
【考案が解決しようとする課題】
【０００４】
前記ボールポイントタイプの六角棒スパナは、繰り返し使用されることにより、ボール状六角部が潰れてしまい、ボルト等を適切に締付けることができなくなることがある。そのため、スパナ本体には、何ら問題がないにもかかわらず、該スパナを捨て、新しいスパナに変えなければならないので、資源の無駄使いとなる。
【０００５】
この考案は、上記事情に鑑み、ボルト等を適切に締付けたり、緩めたりすることができる様にすることである。他の目的は、資源の無駄使いを防止することである。
【課題を解決するための手段】
【０００６】
この考案は、スパナ本体の先端に、ボールポイント部分をボール形状に加工されたボール状六角部と該ボール状六角部の後端側に連続する首部とからなる、挿入部が形成されている六角棒スパナにおいて；前記挿入部が、長手方向に沿って複数形成されていることを特徴とする。
【０００７】
この考案の前記各挿入部は、同一形状に形成されていることを特徴とする。この考案の前記スパナ本体は、直棒状に形成され、他端にハンドル装着部が設けられていることを特徴とする。
【考案の効果】
【０００８】
この考案は、前記挿入部が、長手方向沿って複数形成されているので、最先端のボール状六角部が潰れた場合には、首部を切って次の挿入部を最先端にすることができる。従って、このスパナを用いれば、ボルト等を適切に締付けたり、緩めたりすることができるとともに、資源の無駄使いを防止することができる。
【考案を実施するための最良の形態】
【０００９】
この考案の実施の形態を図１、図により説明する。
スパナ本体１の先端部１ａには、長手方向に沿って複数、例えば、５個の挿入部３、４、５、６、７、が連続して設けられ、あたかも数珠の様になっている。
この挿入部３〜７は、同一形状に形成され、ボールポイント部分をボール形状に加工されたボール状六角部９と、該ボール状六角部９の後端９ａ側に連続する首部１１とから構成されている。
【００１０】
前記スパナ本体１の後端部１ｂには、ハンドルを固定するためのハンドル装着部１３が設けられているが、このハンドル装着部１３は、断面六角形に形成されている。              
【００１１】
次に、本実施の形態を説明する。
ボルト１５の頭部に形成されている、六角穴１５ａに前記スパナ本体１の先端部１ａを対向させ、最先端の挿入部３を前記六角穴１５ａに挿入すると、ボール状六角部９の角部９ｓは、六角穴１５ａの角部に係止する。
【００１２】
ハンドル装着部１３に装着されている、ハンドル(図示省略)を所定方向に回転させると、前記ボルト１５は、前記所定方向に回転して締め付けられる。又、前記ハンドルを前記と逆方向に回すと、前記ボルト１５は緩む。
【００１３】
この様にして、何回も前記スパナを六角穴１５ａに着脱して使用しているうちに、前記ボール状六部９の角部９ｓが潰れてしまい、適切な締付けができなくなる。
【００１４】
この時、前記挿入部３の首部１１を切断手段によって切り落とし、前記挿入部４を最先端にする。これにより前記スパナの先端部１ａは、新品と同様な状態となるので、適切に締付けを行うことができる。
【００１５】
この様にして挿入部３〜７を順次最先端にすることにより、前記スパナの先端部１ａを、新品と同様の状態に維持することができるので、適正な締付けができると共に、資源の有効利用化を図ることができ、経済的である。
【図面の簡単な説明】
【００１６】
【図１】本考案の正面図である。
【図２】使用状態を示す拡大図である。
【００１７】
１    スパナ本体
３    挿入部
４    挿入部
５    挿入部
６    挿入部
７    挿入部
９    ボール状六角部
１１  首部
【図１】
0003140106.tif 000003
【図２】
0003140106.tif 000004
(57)【要約】      （修正有）【課題】市販の飲料水等が充填されたペットボトルに代表される硬質又は半硬質の合成樹脂によって成形されたボトル容器の内部洗浄が容易にでき再生のために要したエネルギーを少なくして、消費者による再使用が容易にする。【解決手段】硬質又は半硬質の合成樹脂によって成形されたボトル容器を円筒形容器と円筒テーパ形状容器に分離し、分離部にねじ部を設けて、ねじ部で捻合及び緩めることで締着又は分離可能となり、これにより容器内部が容易に洗浄し再使用することができる。【選択図】図１
0003140101.tif 000002
【実用新案登録請求の範囲】
【請求項１】
硬質又は半硬質の合成樹脂によって成形されたボトル容器１であって、ボトル容器１は一方の端部に雄ねじ４Ａを備えた円筒形容器２と径の大きい端部に雌ねじ４Ｂを備え径の小さい端部には雄ねじを備えた円筒テーパ形状容器３と円筒テーパ形状容器３の雄ねじ部を封着するキャップ５とならなり、円筒形容器２と円筒テーパ形状容器３はねじ部４で締着され、円筒形容器２の径の小さい端部にキャップ５を締着したことを特徴とするボトル容器。
【請求項２】
ボトル容器１の側面に充填した水量の目安を示す数値量を表示したことを特徴とする請求項１のボトル容器。
【考案の詳細な説明】
【技術分野】
【０００１】
本考案は、繰り返し使用するために洗浄が容易なボトル容器に関するものである。
【背景技術】
【０００２】
清涼飲料水の合成樹脂容器は軽いことから、飲み終えた後にお茶等を充填し再利用し持ち歩くのに非常にべんりである。しかし、繰り返し使用することで容器の内部が汚れを防ぐことはできず洗浄する必要がある。
【０００３】
洗浄する場合、合成樹脂容器の注ぎ口が小さいことから洗浄ブラシ等で洗浄しようとしても、容器内部をくまなく洗浄しようとしても洗浄できない欠点がある。
【０００４】
これまで、洗浄したペットボトル容器の乾燥、洗浄した袋やラップ等を乾燥させ再利用の方法はあるが、容器内部をくまなく洗浄しようとする方法はない。
【特許文献１】特開２００７−０６８９４４号公報
【特許文献２】特開２００７−２８４１４２号公報
【考案の開示】
【考案が解決しようとする課題】
【０００５】
硬質又は半硬質の合成樹脂によって成形されたボトル容器が容器内部の洗浄が容易にできないことから繰り返し使用できない点である。
【課題を解決するための手段】
【０００６】
本考案は、ボトル容器を円筒形部とテーパ形状部が締着されていることから、ボトル容器を円筒形部とテーパ形状部で脱着することで容器内部を容易に洗浄できることを最も主要な特徴とする。
【考案の効果】
【０００７】
本考案のボトル容器は、ボトル容器を円筒形部とテーパ形状部のねじ部を捻合、緩めることで着脱ができ、円筒形部及びテーパ形状部の容器内部をスポンジに洗剤を浸み込ませ容易に洗浄できるという利点がある。
【考案を実施するための最良の形態】
【０００８】
ボトル容器を円筒形部とテーパ形状部に分割し、ねじ部４で捻合した容器とすることで、容器内部を直接スポンジに洗剤を浸み込ませ容易に洗浄するという目的を、最小の部品点数で、容器の大きさを大きくすることなく実現した。
【実施例１】
【０００９】
図１は、本考案容器の１実施例であって、１〜５は、図２と同様である。また、４はねじ部を示し、４Ａと４Ｂの捻合した状態を示している。
【００１０】
図1は、ボトル容器１の全体図を示し、円筒形容器２と円筒テーパ形状容器３がねじ部４で捻合されている。ボトル容器１は清涼飲料水等の飲料が飲料の製造工場で充填され後にキャップ５で締着され移送及び消費者への販売時に飲料の零れることを防ぐことができる。
【００１１】
消費者は、飲料を購入後にその飲料を飲み干した後、図２に示すようにねじ部４を、緩めることで図2に示すように円筒形容器２と円筒テーパ形状容器３を別々にし、スポンジ等で円筒形容器２と円筒テーパ形状容器３の内部を洗浄する。
図２の４Ａは雄ねじ部・４Ｂは雌ねじ部をしめす。
【００１２】
洗浄を終えた円筒形容器２と円筒テーパ形状容器３は雄ねじ部４Ａと雌ねじ部４Ｂを捻合することでしたボトル容器１の状態に戻すことで、お茶等の持ち運び容器として再利用できる。
【００１３】
図２にようにボトル容器１の側面に充填した水量の目安を示す数値量６を表示することで、飲料の分量又は残量を知ることができる。
【産業上の利用可能性】
【００１４】
これまでは、清涼飲料を飲み干した後のペットボトル容器は、洗浄が困難なことから回収し薬品により溶解させて原料として使用する、又は破砕により原料として使用する方法がとられていた。このような方法では再生のためのエネルギーを必要とし決して効率のよいものではなかった。円筒形容器２と円筒テーパ形状容器３を別々することで消費者による再使用のみならず、清涼飲料水の製造工場においても容易に洗浄できることから、ガラス製瓶容器同様に再使用が可能である。
【図面の簡単な説明】
【００１５】
【図１】ボトル容器の全体図を示した説明図である。
【図２】円筒形容器２と円筒テーパ形状容器３を別々にした説明図である。
【符号の説明】
【００１６】
１    ボトル容器
２    円筒形容器
３    円筒テーパ形状容器
４    ねじ部
４Ａ  雄ねじ
4Ｂ  雌ねじ
５    キャップ
６    数値量
【図１】
0003140101.tif 000003
【図２】
0003140101.tif 000004
(57)【要約】      （修正有）【課題】酢をご飯に合わせていなり寿司や巻き寿司を成形する寿司類と、酢を要することなく三角形や俵型に成形するご飯類とを並行して製造する店舗で大量に販売する弁当の提供。【解決手段】炊飯システムを効率化し、ご飯類のおにぎり２の成形を合理化するなどの効率化を図って人手と手間を削減することにより、巻き寿司３やいなり寿司４などの寿司類と白米にぎりや混ぜご飯にぎりなどのご飯類とを詰め合わせた弁当。【選択図】図１
0003140118.tif 000002
【実用新案登録請求の範囲】
【請求項１】
巻き寿司やいなり寿司などの寿司類と白米にぎりや混ぜご飯にぎりなどのご飯類とを詰め合わせてなる弁当。
【考案の詳細な説明】
【技術分野】
【０００１】
本考案は、店舗で大量に販売する弁当に関するものである。
【背景技術】
【０００２】
従来のこの種の弁当は、巻き寿司やいなり寿司などの寿司類（助六）のみを製造する業者、また白米にぎりや混ぜご飯にぎりなどのご飯類のみを詰め合わせた弁当を製造する業者によって製造販売されていて、寿司類とご飯類を一緒に詰め合わせた弁当を製造販売する業者は無かった。
【特許文献１】特開平５−１２３１３９
【考案の開示】
【考案が解決しようとする課題】
【０００３】
解決しようとする問題点は、寿司類とご飯類を一緒に詰め合わせた弁当は消費者には味わいの異なる２種の弁当を同時に食することができるため喜ばしいものであるが、酢をご飯に合わせていなり寿司や巻き寿司を成形する寿司類と、酢を要することなく三角形や俵型に成形するご飯類とを並行して製造するのは、品数も多くしかも作業工程が多いため、製造者側では人手と手間を多く要する点でコスト高を免れず、これまでそうした弁当の製造を思いつかなかったのが現状である。
【課題を解決するための手段】
【０００４】
本考案は、消費者に喜ばれる寿司類とご飯類との詰め合わせを可能とするため、炊飯システムを効率化し、ご飯類のおにぎりの成形を合理化する（例えば、ご飯を菱形に成形する成形型に入れて、その成形と同時に中央を半分に切って二つの三角形のおにぎりに成形する）などの効率化を図って人手と手間を削減することを最も主要な特徴とする。
【考案の効果】
【０００５】
弁当製造の効率化を図って人手と手間を削減することにより、寿司類とご飯類とを詰め合わせた弁当を比較的少ないコストで製造することが可能となった。
【考案を実施するための最良の形態】
【０００６】
寿司類とご飯類とを詰め合わせた弁当を比較的少ないコストで製造するという目的を、弁当製造の効率化を図ることで実現した。
【実施例１】
【０００７】
包装容器１に、白米、赤飯、混ぜご飯などのご飯類のおにぎり１と、のり巻き寿司２といなり寿司３からなる寿司類とが所要数詰め合わされている。
【０００８】
ご飯類のおにぎりは、ご飯を菱形に成形する成形型に入れて、その成形と同時に中央を半分に切って二つの三角形のおにぎりに成形することにより、成形を効率化する。
【０００９】
ご飯類のおにぎりと寿司類を造るご飯は、米を比較的少量の袋詰めし、これを多段の棚に載せて蒸気炊飯室内において適量を短時間で低コストで炊きあげることにより、ご飯の製造を合理化する。
【産業上の利用可能性】
【００１０】
消費者に喜ばれる寿司類とご飯類とを詰め合わせた弁当を比較的安価に提供することができる。
【図面の簡単な説明】
【００１１】
【図１】この考案の弁当の一例を示す平面図である。（実施例１）
【符号の説明】
【００１２】
１    包装容器
２    ご飯のおにぎり
３    のり巻き寿司
４    いなり寿司
【図１】
0003140118.tif 000003
(57)【要約】【課題】  本考案は、敷布団シーツの手入れが、労力の省力と時間の短縮で、常時清潔な寝具を提供できる考案。【解決手段】  敷布団シーツの使用布を極力狭くして、その重量を軽くし、それと両端の袋状で簡単に手入れができ装着状態を万全にしたもので、長方形敷布団の長手方向を縦長とし、短い方を横幅として、本考案の敷布団シーツの横幅は、敷布団より少々広くし、縦長の長さは敷布団より袋状に折り返す分だけ両端を長くして、それを、敷布団の長さに応じて裏側へ折り返し、両端を袋状にした、付け外しが簡単な敷布団シーツであり、さらには、前記両端を袋状に縫った縫いどまりの縫目が、綻びたり裂けるのを防ぐため三角形の補強布を当て、シーツの装着状態をも整えるようにしたものである。【選択図】  図３
0003140591.tif 000002
【実用新案登録請求の範囲】
【請求項１】
長方形敷布団の長手方向を縦長とし、短い方を横幅として、本考案の敷布団シーツの横幅は、敷布団より少々広くし、縦長の長さは敷布団より袋状に折り返す分だけ両端を長くして、それを、敷布団の長さに応じて裏側へ折り返し、両端を袋状にした、付け外しが簡単な敷布団シーツ。
【請求項２】
前記両端を袋状に縫った縫いどまりの縫目が、綻びたり裂けるのを防ぐため三角形の補強布を当て、シーツの装着状態をも整えるようにした、請求項１記載の付け外しが簡単な敷布団シーツ。
【考案の詳細な説明】
【技術分野】
【０００１】
本考案は、敷布団シーツの手入れが容易にできるシーツに関する。
【背景技術】
【０００２】
一般的に知られている平面一枚布の敷布団シーツは、横幅が敷布団と同じくらいで、縦長が敷布団より両端に長いものや、縦長横幅共に広いものを、敷布団の裏側へ折り込んで使用している。
【０００３】
また、敷布団全体を被う袋状の敷布団シーツで、縦長の開放口から敷布団を差し込んでチャックで閉じるものや、表側は敷布団と同じで、裏側を額縁仕立てにし、その開放口の周縁にゴムを設けて、その開放口から敷布団を差し込むものもある。
【０００４】
最近は、縦長敷布団シーツの一端を、袋状にした中へ敷布団の一端を差し込み、他の一端は敷布団と同形の敷布団シーツ裏側の両角に、ゴムバンドを斜めにかけたのへ、敷布団の両角を差し込むものや、敷布団の表側と同形状の敷布団シーツの裏側の四角にゴムバンドを設け、それに敷布団の四角を差し込むものも出回っている。
【考案の開示】
【考案が解決しようとする課題】
【０００５】
平面一枚布で縦長の敷布団シーツは、使用時にズレや乱れを生じやすく、使用後も、敷布団シーツを掛けたままの敷布団を畳む際、敷布団から敷布団シーツが外れてしまう。また、一枚布で四方を裏側へ折り込む敷布団シーツは、折り込む作業に時間がかかり、敷布団シーツを掛けたままの敷布団を畳む際も敷布団から敷布団シーツが外れてしまう。その上、洗濯後の干し場に広い場所が必要である。
【０００６】
チャックで開閉する敷布団シーツは、重い敷布団を差し込むのに多大な労力が必要であり、差し込んだ後の形状を整えるのにも労力と長時間が必要である。
【０００７】
敷布団シーツの縦長二角や四角にゴムバンドを設け、それに敷布団を差し込むものは付け外しが簡単であるが、薄物生地で仕立てたものは、使用中や使用後、一端が袋状であっても、ゴムバンドの角の部分がめくれたり、縦長の部分にズレや乱れを生じやすい。厚物生地で仕立てたものは、前期の弊害は解消するが、洗濯乾燥が容易にできない。
【課題を解決するための手段】
【０００８】
本考案の敷布団シーツは、長方形一枚の布で仕立て、縦長の両端を敷布団より長くして、その分を敷布団の裏側へ折り込み袋状にした。その袋状は敷布団シーツを掛けたままでの上げ下ろしや布団干しの際、敷布団の両端を保護する役目もする。
【０００９】
それに、敷布団シーツの横幅は敷布団の横幅より少々広くして、縦長敷布団の両端を差し込み易くすると共に、袋状縫代と横幅を少々広くした分が、袋状縫いどまりから縫いどまりまでの間の敷布団を被い保護する。
【００１０】
袋状にした敷布団シーツの縫い止めが、綻びや裂けるのを防御のため図４のあて布をし
た。
【考案の効果】
【００１１】
本考案の敷布団シーツは、生地は木綿や薄い木綿の毛布を使用。敷布団の表側より少し広い長方形の一枚布の回りを縁ぬいして、その両端を袋状に縫い、角へ図３のように三角布を当てただけの、極めて少量布で、縫製も簡単な簡素化した敷布団シーツであり、安価に生産できる。それに、軽量だから洗濯、乾燥、付け外しが簡単であり、使用後も両端の袋状が互いに引き合って形状を整え、ズレや乱れを生じることはない。手入れの労力は半減し、時間も短縮、実用性に優れ、特に、昨今増えた多忙な兼業主婦や高齢者に思いやりのあるシーツを供給できる。
【考案を実施するための最良の形態】
【００１２】
市販の敷布団の両サイズが２００ｃｍ×１０５ｃｍの縦長より長くて広い、敷布団シーツのサイズ２４０ｃｍ×１４０ｃｍを使用した。最初に１４０ｃｍの横幅を、１０９ｃｍに裁断して裁ち目の縁縫いをし、次に、縦長の両端２０ｃｍを折りまげて袋状に縫った。そして、袋状の縫いどまりに、斜辺が縫代を加えて１２ｃｍの当て布を縫い付けた。
【図面の簡単な説明】
【００１３】
【図１】本考案に関わる表側からの斜視図である。
【図２】本考案に関わる裏側からの斜視図である。
【図３】本考案に関わる裏側に、補強布を当てた斜視図である。
【符号の説明】
【００１４】
１・・・表側
２・・・裏側
３・・・裏側へ折り返した袋状
４・・・補強布
【図１】
0003140591.tif 000003
【図２】
0003140591.tif 000004
【図３】
0003140591.tif 000005
(57)【要約】      （修正有）【課題】余分な日を作り、医師に余分な薬をもらうことにより、行けなかった日や、行き忘れた日、遅れていくときに整理して使う。【解決手段】ひと月に、2週間を余分に付け加えたカレンダーポケットに、医師から余分にもらって来た薬を整理して入れる。【選択図】図1
0003140598.tif 000002
【実用新案登録請求の範囲】
【請求項１】
7列7行に透明なプラスチック製のポケットをつくったことを特徴とする薬整理カレンダーポケット。
【考案の詳細な説明】
【技術分野】
【０００１】
本考案は、基本的には、1ヶ月以内の薬を整理するカレンダーポケットである。
【背景技術】
【０００２】
今までのカレンダーでは、病院やクリニックに仕事で忙しい時や、いき忘れたとき等に、薬の残りと、余分な日にちがないので、対応出来ない。
【考案の開示】
【考案が解決しようとする課題】
【０００３】
解決しようとする問題点は、薬を取りにいけなかった時や、いき忘れた時、それが、ひと月なら、ひと月、一週間なら、一週間の薬を取りにいく最後の日だったらどうするか、という点である。
【課題を解決するための手段】
【０００４】
7列7行に透明なプラスチック製のポケットをつくったことを特徴とする薬整理カレンダーポケット。
1ヶ月分のカレンダーに2週間分の余分な日をつくり、７日ごとに対応する、7列7行に、ポケットをつくった、本当のカレンダーと比較して使う、薬の2週間オーバーまでの管理ができるという特徴をもった、透明なプラスチック製の、軽くて、丈夫で、安価な、薬整理カレンダーポケット。
薬整理カレンダーとして。2週間分、余分な日を作ることである。
【考案の効果】
【０００５】
本カレンダーは、余分な日を作り、医師に余分な薬をもらうことにより、行けなかった日や、行き忘れた日、等に、遅れていくときに整理して使える。
【考案を実施するための最良の形態】
【０００６】
例えば、ひと月に一度薬を取りに行っている人なら、薬をひと月分と、2週間分たして余分にもらい、ひと月に対し、2週間分余分に作ってある薬整理カレンダーポケットに整理すると、取りに行けなかった時に、2週間猶予がある。
【図面の簡単な説明】
【０００７】
【図１】本考案の薬整理カレンダーポケットを示す正面図である。
【図２】本カレンダーポケットの側面断面図である。
【図３】本カレンダーポケットの月の表示板である。
【符号の説明】
【０００８】
1    薬整理カレンテダーポケットの正面図
2    薬整理カレンダーポケットの側面断面図
3`  月の表示板の正面図
3゛  月の表示板の側面断面図
4    月の表示板をひっ掛ける部位
5    物置スペース
6    薬を入れるポケット
7    一ヶ月終了のライン
【図１】
0003140598.tif 000003
【図２】
0003140598.tif 000004
【図３】
0003140598.tif 000005
(57)【要約】【課題】前輪からの応力に耐えられる極めて良好な強度を有する自転車のフロントフォークを提供する。【解決手段】フロントフォーク１０は、ステアリングコラム２０と二つの分岐管３０とを有する。ステアリングコラム２０は、ステアリングコラム２０の軸方向Ａに沿って延伸される中間リブ２２を有する。二つの分岐管３０は、ステアリングコラム２０の底端の横方向から延伸する。二つの分岐管３０は、分岐管３０の軸方向Ｂに沿って延伸されるリブ３２と分岐管３０の末端に位置する連接部３４とを別々に有する。リブ３２は、ステアリングコラム２０の軸方向Ａに平行に設けられ、二つの連接部３４は二つのフォークブレードの装着に用いられる。【選択図】図２
0003140541.tif 000002
【実用新案登録請求の範囲】
【請求項１】
軸方向に沿って延伸される中間リブを有するステアリングコラムと、
前記ステアリングコラムの底端の横方向から延伸される二つの分岐管であって、前記分岐管の軸方向に沿って延伸し、かつ前記ステアリングコラムの軸方向に平行に設けられるリブと前記分岐管の末端に位置する連接部とを別々に有する二つの前記分岐管と、
を備えることを特徴とする自転車のフロントフォーク。
【請求項２】
前記ステアリングコラムの前記中間リブは、自転車の前進方向に平行に設けられることを特徴とする請求項１に記載の自転車のフロントフォーク。
【請求項３】
前記分岐管の前記リブは水平面に垂直に設けられることを特徴とする請求項１に記載の自転車のフロントフォーク。
【考案の詳細な説明】
【技術分野】
【０００１】
本考案は自転車のフロントフォークに関し、特に前輪からの応力に耐えられる極めて良好な強度を有する自転車のフロントフォークに関する。
【背景技術】
【０００２】
従来、自転車のフロントフォークは炭素補強樹脂で形成されたものが知られている。このフロントフォークは、ステアリングコラムと、ステアリングコラムの底端に装着されるフォーククラウンと、フォーククラウンの両端から下に延伸して形成される二つのフォークブレードとを備える。そのうちのステアリングコラムとフォーククラウンとは一体に形成され、二つのフォークブレードと連結される。
実際にステアリングコラムを自転車に使用する場合、ステアリングコラムは自転車の前後方向に平行な応力を受け、また、フォーククラウンは二つのフォークブレードの軸方向の応力を受けるため両者は破損しやすい。従って、如何にフロントフォーク、特にマウンテンバイクに応用されるフロントフォークの構造強度を高めるかということは業界において最も解決したい課題となっている。
【考案の開示】
【考案が解決しようとする課題】
【０００３】
本考案の主な目的は、前輪からの応力に耐えられる極めて良好な強度を有する自転車のフロントフォークを提供することである。
【課題を解決するための手段】
【０００４】
上述の目的を達成するために、本考案による自転車のフロントフォークは、ステアリングコラムと二つの分岐管とを有する。ステアリングコラムは、ステアリングコラムの軸方向に沿って延伸される中間リブを有する。二つの分岐管は、ステアリングコラムの底端の横方向から延伸する。また二つの分岐管は、分岐管の軸方向に沿って延伸されるリブと分岐管の末端に位置する連接部とを別々に有する。リブは、ステアリングコラムの軸方向に平行であり、二つの連接部は二つのフォークブレードの装着に用いられる。これにより、中間リブはステアリングコラムの構造強度を高めることが可能であり、また、リブは二つの分岐管の構造強度を高めることが可能であるため二つのフォークブレードからの応力に耐えることが可能となる。
【考案を実施するための最良の形態】
【０００５】
（一実施形態）
以下、本考案の一実施形態による自転車のフロントフォークを図面に基づいて説明する。
図１から図４に示すように、本考案の一実施形態による自転車のフロントフォーク１０は炭素繊維補強樹脂で一体に形成され、ステアリングコラム２０と二つの分岐管３０とを備える。繊維は炭素繊維に限らずガラス繊維、ホウ素繊維、ケブラー（Kevlar）（登録商標）繊維などを採用することが可能である。樹脂は熱固性樹脂または熱塑性樹脂。
ステアリングコラム２０は、図２に示すように、下段にステアリングコラム２０の軸方向Ａに沿って延伸される中間リブ２２を有し、中間リブ２２は図３に示すように自転車の前進方向Ｆにほぼ平行に設けられる。
【０００６】
二つの分岐管３０は、ステアリングコラム２０の底端の横方向から延伸すされる。また、分岐管３０は、分岐管３０の軸方向Ｂに沿って延伸されるリブ３２と分岐管３０の末端に位置する連接部３４とを別々に有し、そのうちのリブ３２はステアリングコラム２０の軸方向Ａにほぼ平行、即ち水平面にほぼ垂直に設けられる。連接部３４はフォークブレード（図中未表示）の装着に用いられる陥凹孔３６を有する。
【０００７】
ステアリングコラム２０は自転車の前進方向Ｆに平行な中間リブ２２を有するため、その構造強度が確実に増強され、特に自転車の前後方向からの応力に耐えることが可能である。また二つの分岐管３０は垂直方向に形成されるリブ３２を有するため、強度が大幅に高まり、特に垂直方向の応力に耐えることが可能である。従って、二つのフォークブレードからの応力に耐えることが可能となる。これにより、本実施形態によるフロントフォーク１０は長時間にわたって前輪からの応力に耐えられる極めて良好な強度を有するため、使用寿命が長いだけでなく市場の潜在力が極めて大きいと考えられる。
フロントフォークは本考案の精神に基づいて多様な変化を呈するように設計することが可能である。例えば、ステアリングコラム２０の中間リブ２２と分岐管３０のリブ３２との配置位置は必要に応じて変更することが可能である。上述をまとめると、容易に着想可能な構造の変化は本考案の請求範囲に属すべきである。
【図面の簡単な説明】
【０００８】
【図１】本考案の一実施形態による自転車のフロントフォークを示す正面図である。
【図２】本考案の一実施形態による自転車のフロントフォークを示す断面図である。
【図３】本考案の一実施形態による自転車のフロントフォークを示す平面図である。
【図４】本考案の一実施形態による自転車のフロントフォークを示す二つの分岐管の頂面の断面図である。
【符号の説明】
【０００９】
１０：フロントフォーク、２０：ステアリングコラム、２２：中間リブ、Ａ：軸方向、Ｆ：前進方向、３０：分岐管、３２：リブ、Ｂ：軸方向、３４：連接部、３６：陥凹孔
【図１】
0003140541.tif 000003
【図２】
0003140541.tif 000004
【図３】
0003140541.tif 000005
【図４】
0003140541.tif 000006
(57)【要約】【課題】  便の観察が容易にできること、幼児が便器に慣れること、清潔であることの希望を具備した洋式便器を提供する。【解決手段】  便器Ａは排水口を座居に対して前方に設け、便底を緩傾斜面とすること、便座Ｂは幅広の便座板と狭い開口部を形成すること、便蓋Ｃはハート型として可愛らしく形成すること、以上を具備した洋式便器。【選択図】    図２
0003140577.tif 000002
【実用新案登録請求の範囲】
【請求項１】
便器Ａは、縁部（４）を楕円形に形成し、底部（３）手前部に排水口（２）を設けて全面を緩やかな流れ勾配とすること、
便座Ｂは左右便座板（５），（５）を幅広に形成し、中央開口部を幅狭ｂに設けると共に手前側端部（６）を便器縁部（４）より膨出して形成すること、
便蓋Ｃは、便座全体を覆う大きさとし、ハート型外観形状とし、
上記便器Ａ、便座Ｂ、便蓋Ｃよりなる洋式便器。
【考案の詳細な説明】
【技術分野】
【０００１】
本考案は、排泄した便を容易に観察でき、幼児に不安なく、なじみ易く使用できる洋式便器に関する。
【背景技術】
【０００２】
健康状態を知るには便を見ることが近道であるということは古くから知られている。しかし、一般に使用されている洋式便器は、排便の流れをよくすることを考えて、排水口を座居に対して後方、即ち尻の方向に設け、しかも便底の傾斜を急にして流れをよくする構造となっている。このため便の排泄後、水を流す前に便器の内部を覗いてみても、溜り水に沈んでいる便を落し紙で覆われているため排便の色や臭いを観察することは困難である。このため特許文献１に示される構造の便器が開発されている。
【０００３】
また小児の用便を楽にするため便座の高さを変える構造の便座も特許文献２に示すよう開発がなされているが、実用性に欠けているため一般に普及されていない。さらに女子の場合は男子にくらべて使用頻度が高く、便器の汚れが気になり、この度に便器の縁を拭き取る傾向にあった。
【特許文献１】特開２００７−０７７７８７号公報
【特許文献２】特開平０９−３０８５９４号公報
【考案の開示】
【考案が解決しようとする課題】
【０００４】
本考案は洋式便器において、１．排便の状態を観察し易い便器とすること、２．幼児が用便の際に便器をこわがらなく、慣れやすくすること、３．清潔な便器を目的とする洋式便器を提供することにある。
【課題を解決するための手段】
【０００５】
考案者は、この点について鋭意研究を重ねた結果本考案に到達したものであって、本考案は便器Ａとして、排水口を座居に対して前方に設け、排泄する便が直接排水口に落ちずに、便器の底にとどまるようにするため、便器Ａの底をながれ方向に緩い傾斜として、排泄した便の観察をしやすくするように形成すること、
【０００６】
便座Ｂは、便座の左右を幅広くし、中央の開口部の幅を狭く形成することによって幼児の尻が落ちる危険や恐怖をなくし、また便座の前方を便器の縁から膨出させて、用便の際に下したパンツやズボンが便器の縁に触れない構造とすること、
【０００７】
さらに便蓋Ｃを前記便座Ｂの全体を覆うように外観形状をハート型に可愛いく形成することによって幼児に親しみやすい形状とすることによって、前記１，２，３の諸問題点を解決することができた。
【考案の効果】
【０００８】
本考案の便器はこのように便器Ａ、便座Ｂ、便蓋Ｃを従来の洋式便器に比較して大きく改良を加えることによって、自身の健康のチェックを容易に、特に便からの僅かな出血や緑便等が発見できて早期に体の異常を知ることができる。又、衣服の便器縁への接触による不快感をなくし、幼児の便器の恐怖を除いて用便の仕付けをしやすくすることができることなど、従来の便器と比較して数多くの使用上の効果を顕著に期待できる。
【実施例】
【０００９】
添付図面により本考案の実施例を説明すると、図１は便器Ａの平面図であり、符号（４）は便器Ａの縁を示している。図は円形であるが楕円形でもよく、一般においても両方の形状の便器が使用されている。（２）は排水口であって、座居に対して手前側に設けてあって一般にみられる排水口の位置とは逆である。（３）は便底であって、矢印は水の流れ方向を示している。この便底（３）は、図３を参照して水の流れ方向に緩い傾斜として、排泄した便が排水口（２）に直に落ちずに便底にとどまって、用便後に観察しやすいようにする。
【００１０】
図２は便座Ｂと便蓋Ｃの展開傾斜図を示している。便座Ｂは図示するように左右の便座板（５），（５）を幅広く成形し、中央の開口部の幅ｂを狭く形成するものである。このように開口部の幅ｂを狭くすることによって幼児が使用した場合でも尻が落ちる危険性やこれによる恐怖がなくなり、幼児は安心して便座にのれる。      
【００１１】
また便座の前方を便器の縁（４）から膨出（６）させてけいせいすることによって、用便の際に下したパンツやズボンが便器の縁に接触することがなくなり不快感が解消される。
【００１２】
また便蓋Ｃは、便座Ｂの全体を覆う大きさで、外観形状を図示のようにハート型状とする。このように外形をハート型とすることによって可愛いらしく、幼児に馴染みやすく形成する。
このように便蓋Ｃを可愛くすることによって、幼児に用便の習慣がつけやすくなり、更に一般に便器は清潔感を表わすため白色ときまっているようなものの、例えば便蓋のみピンクとか赤色とか他の色に変えてト
イレの雰囲気を変化させることも可能である。
なお、図中の符号（７）は洗い流し用の出水口であって、座居に対して後方に設ける。また符号（８）は便座Ｂ、便座Ｃを開閉する蝶着部である。
【産業上の利用可能性】
【００１３】
上述のように本考案の洋式便器は、外観形状がハート型で可愛らしく、しかも便の観察が出来ること、および衛生的で幼児に対して用便のしつけが容易にできることによって、この便器の利用可能性は極めて高い。
【図面の簡単な説明】
【００１４】
【図１】便器Ａの平面図
【図２】便座Ｂ便蓋Ｃの展開斜視図
【図３】便器Ａの断面図
【符号の説明】
【００１５】
２  排水口
３  便器底
４  便器縁
５  便座板
６  便座膨出部
７  出水口
８  蝶着部
Ａ  便器
Ｂ  便座
Ｃ  便蓋
ｂ  便座開口部
【図１】
0003140577.tif 000003
【図２】
0003140577.tif 000004
【図３】
0003140577.tif 000005